(57)【要約】【課題】外見から液体内容物の種類を容易に識別することを可能とし、且つ液体内容物を変更しても識別機能を喪失させないプラスチックボトルを提供する。【解決手段】シャンプー等の液体内容物を収容するプラスチックボトル１であり、筒状の胴部２１及び胴部２１の上端部に突出形成された口部２２を有する容器本体２と、口部２２に取り付けられるキャップ３とを備える。胴部２１の表面には液体内容物の種類と対応可能な色を施した有色の識別部品５が着脱自在に取り付けられている。胴部２１の表面に胴部周方向に延びる凹部２５が胴部２１と一体に形成されて識別部品５の嵌め込み部２４が設けられている。識別部品５は嵌め込み部２４の形状に沿って胴部２１周方向に倣った湾曲帯状の樹脂部材により構成されて嵌め込み部２４に嵌め込まれる。嵌め込み部２４の下端部に胴部２１表面から突出して持ち手や指の引っ掛かる滑り止め部が形成される。【選択図】図１
2017226429.tif 000002
【特許請求の範囲】
【請求項１】
シャンプー等の液体内容物を収容するプラスチックボトルであって、
筒状の胴部及び胴部の上端部に突出形成された口部を有する容器本体と、口部に取り付けられるキャップとを備え、
上記胴部の表面には、液体内容物の種類と対応可能な色を施した有色の識別部品が着脱自在に取り付けられているプラスチックボトル。
【請求項２】
請求項１に記載のプラスチックボトルにおいて、
上記胴部の表面に胴部周方向に延びる凹部又は上下二本の凸部が胴部と一体に形成され、該凹部又は該二本の凸部間の領域により上記識別部品の嵌め込み部が構成され、
上記識別部品は、上記嵌め込み部の形状に沿って胴部周方向に倣った湾曲帯状の樹脂部材により構成されて上記嵌め込み部に嵌め込まれるプラスチックボトル。
【請求項３】
請求項２に記載のプラスチックボトルにおいて、
上記嵌め込み部の下端部が胴部表面から突出して持ち手又は指が引っ掛かる滑り止め部を構成するプラスチックボトル。
【請求項４】
請求項２又は３に記載のプラスチックボトルにおいて、
上記識別部品の湾曲帯状の両端部には、上記胴部と係合する係合部が設けられ、
上記嵌め込み部には、上記識別部品の係合部と係合する本体側係合部が設けられているプラスチックボトル。
【請求項５】
請求項２〜４のいずれか１項に記載のプラスチックボトルにおいて、
上記識別部品は、一部分が幅広の拡大部を有し、
上記二本の凸部を形成する胴部は、該二本の凸部が上記識別部品の拡大部の配置範囲には形成されない拡大部配置部を有するプラスチックボトル。
【請求項６】
請求項１に記載のプラスチックボトルにおいて、
上記識別部品は、上記胴部の前壁部に配置され該前壁部の半分以上の範囲を覆う大きさを有する前板部と、前板部の左右端からそれぞれ後方へ延設する左右の把持部と、左右の把持部のそれぞれに設けられ上記胴部と係合する係合部と、左右の把持部のそれぞれに設けられ凸又は凹の形状を有する持ち手又は指の滑り止め部とを有し、
上記胴部の左右壁部には、上記識別部品の係合部と係合する本体側係合部が設けられているプラスチックボトル。
【発明の詳細な説明】
【技術分野】
【０００１】
本発明は、主にシャンプー、リンス等の液体内容物を収容するプラスチックボトルに関する。
【背景技術】
【０００２】
この種のプラスチックボトルは、筒状の胴部及び胴部の上端部に突出形成された口部を有する容器本体と、口部に取り付けられるキャップとを備える。容器本体の胴部には、液体内容物の表示として、シャンプー、リンス、ボディーソープ等の文字を印字したラベルが貼り付けられたり、シャンプー等の文字が直接印刷されていたりする。使用者は、この表示を見て液体内容物の種類を確認して、目的のプラスチックボトルから液体内容物を取り出して使用する。
【先行技術文献】
【特許文献】
【０００３】
【特許文献１】特開２００２−１６０７１８号公報
【発明の概要】
【発明が解決しようとする課題】
【０００４】
上記プラスチックボトルとして、シャンプー、リンス、ボディーソープ等は、通常、浴室内の同じ棚等に並べて置かれ、また、外形形状も同一又は類似しているため、外形形状だけから液体内容物が何なのか直ちに識別することは容易でない。従って、使用者は、使用の都度シャンプーなのかリンスなのかプラスチックボトルの表示を見て液体内容物を確かめる必要があり面倒であった。また、浴室内では、液体内容物の表示が見難いこともある。特に、高齢者にとっては、シャンプー等の表示が小さな文字であったり英語であったり等してシャンプーなのかリンスなのかはっきり識別できないことがある。そのため、シャンプーとリンスを間違って使用してしまうことがあった。
【０００５】
ところで、従来、プラスチックボトルとして、容器本体の表面と一体に、先端部に印刷を施した加飾面とする突状部を形成し、この突状部の形状と加飾面の色等を変更することにより、外観及び質感から他のプラスチックボトルと識別する商品識別機能を付与したものが提案されている（特許文献１）。
【０００６】
しかし、このプラスチックボトルは、識別部となる突状部及び加飾面が容器と一体に形成されているため、決まった液体内容物だけ収容する専用容器となるものである。従って、液体内容物の種類ごとに、突状部の形状及び加飾面の色が異なったプラスチックボトルを揃える必要があり、製造コストも高く付く。また、専用容器となるため、このプラスチックボトルを詰替え用に使用する場合、例えば、シャンプー用のプラスチックボトルは、シャンプーを使い切ったときにリンスを収容してリンス用としての識別機能を発揮させて使用することはできない。
【０００７】
本発明は、上記事情に鑑みてなされたものであり、外見から液体内容物の種類を容易に識別することを可能とし、且つ液体内容物を変更しても識別機能を喪失させないプラスチックボトルを提供することを目的とする。
【課題を解決するための手段】
【０００８】
本発明に係るプラスチックボトルは、
シャンプー等の液体内容物を収容するプラスチックボトルであって、
筒状の胴部及び胴部の上端部に突出形成された口部を有する容器本体と、口部に取り付けられるキャップとを備え、
上記胴部の表面には、液体内容物の種類と対応可能な色を施した有色の識別部品が着脱自在に取り付けられているものである。
【０００９】
これにより、識別部品の色によって液体内容物の種類が識別され、高齢者であっても文字に比べて外見の色により瞬時に且つ容易に液体内容物の種類を識別することができる。また、識別部品が着脱自在となっているので、液体内容物を変更する場合は、その液体内容物を識別する色の識別部品に取り替えることで識別機能を喪失させることもない。従って、詰替え用ボトルとして使用する場合でも、識別機能を喪失させずに液体内容物の変更が可能となり、利便性のよいものが得られる。
【００１０】
上記胴部の表面に胴部周方向に延びる凹部又は上下二本の凸部が胴部と一体に形成され、該凹部又は該二本の凸部間の領域により上記識別部品の嵌め込み部が構成され、
上記識別部品は、上記嵌め込み部の形状に沿って胴部周方向に倣った湾曲帯状の樹脂部材により構成されて上記嵌め込み部に嵌め込まれる構成とすることができる。
この場合、識別部品を胴部に対して脱落することなく安定して取り付けることができる。また、識別部品が胴部周方向に配置されるので、容器本体が正面向きでなく横向きに置かれていても識別部品を視認することができる。
【００１１】
上記嵌め込み部の下端部が胴部表面から突出して持ち手又は指が引っ掛かる滑り止め部を構成することが望ましい。
この場合、液体内容物が満タンでプラスチックボトルが重くても容器本体や手が水で濡れていてもプラスチックボトルを落下させることなく確実に手に持つことができる。手の力が弱くなってきた高齢者でもプラスチックボトルを落下させることなく確実に手に持つことができる。
【００１２】
上記識別部品の湾曲帯状の両端部には、上記胴部と係合する係合部が設けられ、
上記嵌め込み部には、上記識別部品の係合部と係合する本体側係合部が設けられている構成とすれば、識別部品をより確実に胴部に安定して取り付けることができる。
【００１３】
上記識別部品は、一部分が幅広の拡大部を有し、
上記二本の凸部を形成する胴部は、該二本の凸部が上記識別部品の拡大部の配置範囲には形成されない拡大部配置部を有する構成としてもよい。
この場合、一部分が幅広の拡大部を有する識別部品でも胴部に安定して取り付けることができる。また、拡大部により識別部品の面積を広げて識別部品の色を見やすくすることができ、さらに、拡大部に各種の表示を見やすく施すこともできる。
【００１４】
上記識別部品は、上記胴部の前壁部に配置され該前壁部の半分以上の範囲を覆う大きさを有する前板部と、前板部の左右端からそれぞれ後方へ延設する左右の把持部と、左右の把持部のそれぞれに設けられ上記胴部と係合する係合部と、左右の把持部のそれぞれに設けられ凸又は凹の形状を有する持ち手又は指の滑り止め部とを有し、
上記胴部の左右壁部には、上記識別部品の係合部と係合する本体側係合部が設けられている構成としてもよい。
これによっても、識別部品を胴部に対して安定して取り付けることができる。また、識別部品に設ける滑り止め部によりプラスチックボトルを落下させることなく確実に手に持つことができる。
【発明の効果】
【００１５】
以上のように、本発明に係るプラスチックボトルによれば、容器本体の胴部に着脱自在な有色の識別部品が取り付けられるので、この識別部品の色によって外見から液体内容物の種類を容易に識別することができる。また、識別部品が着脱自在となっているので、液体内容物を変更する場合は、その液体内容物を識別する色の識別部品に取り替えることで識別機能を喪失させることがなく、使用者にとって利便性のよいプラスチックボトルが得られる。例えば、詰替え用ボトルとしても識別機能を発揮させて使用することができる。また、容器本体そのものは、液体内容物の識別性に影響しないから、同一形状のものを低コストに製造することができる。
【図面の簡単な説明】
【００１６】
【図１】実施形態１のプラスチックボトルを示す正面図（図１（ａ））及び側面図（図１（ｂ））である。
【図２】実施形態１のプラスチックボトルにおいて識別部品、ストッパーを取り外した状態を示す正面図である。
【図３】実施形態１のプラスチックボトルにおいて識別部品を係合する場合の一例を示す側面図である。
【図４】実施形態２のプラスチックボトルを示す正面図である。
【図５】実施形態２のプラスチックボトルにおいて識別部品、ストッパーを取り外した状態を示す正面図である。
【図６】実施形態２のプラスチックボトルにおいて識別部品に拡大部を設けた場合の一例を示す正面図である。
【図７】実施形態３のプラスチックボトルを示す斜視図である。
【図８】実施形態３のプラスチックボトルにおいて識別部品を取り外した状態を示す斜視図である。
【発明を実施するための形態】
【００１７】
以下に、本発明による実施形態について図面を参照しながら説明する。
（実施形態１）
実施形態１のプラスチックボトル１は、シャンプー、リンス、ボディーソープ等の液体内容物を収容する容器として使用されるが、これに限らず、ハンドソープ、洗顔用ソープ、化粧水等の各種の液体内容物のプラスチックボトルとして使用することができる。
【００１８】
図１、図２に示すように、このプラスチックボトル１は、筒状の胴部２１及び胴部２１の上端部に突出形成された口部２２を有する容器本体２と、口部２２に取り付けられるキャップ３とを備える。口部２２は、円筒状を有し、外周面にネジが形成されている。キャップ３は、口部２２に沿った円筒状を有し、内周面にネジが形成され、口部２２に螺合して取り付けられる。また、キャップ３は、押下げにより液体内容物を所定量だけノズル３１から吐出させるディスペンサー３２が備え付けられている。ディスペンサー３２には、販売時や未使用時等にディスペンサー３２の押下げを阻止するためのストッパー４が取り外し可能に装着されている。ストッパー４は、断面Ｃ型の帯状の装着部４１と、装着部４１の外周面に形成されたフック部４２とを有し、このフック部４２を指で摘まんでストッパー４をディスペンサー３２に取り付け取り外しすることができる。なお、キャップ３は、ディスペンサー３２に限らず、直噴射、霧噴射及び閉状態等に切り換え可能なスプレーを有するもの、また、ディスペンサー３２等を有さず単に口部２２を塞ぐもの等でもよい。
【００１９】
容器本体２の胴部２１は、中央部に縮径したくびれ部２３を有する断面楕円形の筒状に形成されている。容器本体２の断面楕円形の最も広い二面が、それぞれプラスチックボトル１の正面と背面となる。この容器本体２は、例えば、ブロー成形により製造することができる。なお、容器本体２は、このような断面楕円形状に限らず、断面円形、断面四角形等の様々な形状とすることができ、また、くびれ部２３を有しないずん胴型や拡径した膨出部等を有するもの等でもよい。
【００２０】
容器本体２における胴部２１の上部の表面には、液体内容物の種類を色で識別させるための有色の識別部品５が着脱自在に取り付けられている。識別部品５は、一定幅を有し胴部２１周方向に倣った湾曲帯状の樹脂部材により形成されている。識別部品５は、カチューシャの如くＣ型に形成され、例えば、容器本体２の胴部２１外周の半周以上の長さを有する。識別部品５は、中央部分がプラスチックボトル１の正面の中央部分に配置される湾曲形状を有する。この識別部品５は、例えば、射出成形により製造することができる。
【００２１】
胴部２１の上部の表面には、識別部品５の嵌め込み部２４となる凹部２５が胴部２１周方向に全周にわたって延びて容器本体２と一体に形成されている（図２参照）。識別部品５は、この凹部２５の幅と略同じ幅を有して凹部２５内に嵌め込むように取り付けられる。なお、胴部２１における嵌め込み部２４は、識別部品５の長さと対応して、胴部２１周方向に所定範囲に形成されていてもよい。
【００２２】
識別部品５は、様々な色のバリエーションを有し、例えば、赤色、青色、緑色、黄色等の一色に着色されている。従って、複数のプラスチックボトル１は、識別部品５の色を、例えば、シャンプー、リンス、ボディーソープ等の液体内容物の種類ごとに異なる色とすることができる。なお、識別部品５の色は、目立つようにするために容器本体２の色とは異なる色とすることが好ましい。
【００２３】
シャンプー、リンス、ボディーソープ等のように、通常、浴室の同じ棚等に並べて置かれ、また、容器本体２の外形形状が同一又は類似していても、識別部品５の色によって液体内容物の種類、すなわち、シャンプー、リンス、ボディーソープの各々を容易に識別することができる。また、プラスチックボトル１にシャンプー等の表示の文字が施されていても、浴室内では見難い状況であったり、特に高齢者にとっては文字が小さかったり英語であったり等してはっきり判別できないことがあり、例えば、シャンプーとリンスを取り違えてしまうことがあった。これに対して、本実施形態１では、識別部品５の色をシャンプー、リンス、ボディーソープ等の液体内容物の種類ごとに異なる色にすることができ、高齢者や近眼者等であっても、表示の文字を見ることなく識別部品５の色から瞬時に且つ容易にそのプラスチックボトル１の液体内容物の種類を識別することができる。また、識別部品５は、胴部２１の上部に取り付けられているので、プラスチックボトル１を斜め上から見ても識別部品５が見易くなっている。
【００２４】
シャンプー、リンス、ボディーソープ等のように、同じ場所、同じ棚に置かれるような複数のプラスチックボトル１において、容器本体２の外形形状を同じ形状とし、また、容器本体２そのものの色を同じ色とすることができる。これにより、これら複数のプラスチックボトル１を眺めると、同一色の容器本体２の中にそれぞれ異なる色の識別部品５がはちまき状に配色された外観を呈し、意匠的に統一感を有する優れたものが得られる。そして、ディスペンサー３２に取り付けるストッパー４の色も識別部品５の色と同じ色にすることで液体内容物の識別性を更に向上するとともにプラスチックボトル１の意匠性も更に向上することができる。
【００２５】
また、識別部品５は、容器本体２から着脱自在となっているので、液体内容物を変更する場合は、その液体内容物を識別する色の識別部品５に取り替えることで識別機能を喪失させることがない。従って、本実施形態１のプラスチックボトル１を詰替え用ボトルとして使用する場合でも、識別機能を喪失させずに液体内容物の変更が可能となり、使用者にとって利便性のよいものが得られる。例えば、シャンプー用に使用していたプラスチックボトル１を、シャンプーを使い切ったときに今度はリンスを収容してリンス用のプラスチックボトル１として使用する場合は、リンスに対応した色の識別部品５に取り替えることでリンス用としての識別機能を確保することができる。また、容器本体２そのものは、液体内容物の識別性に影響しないから、ブロー成形等により同一形状のものを低コストに製造することができる。
【００２６】
さらに、識別部品５は、胴部２１における嵌め込み部２４となる凹部２５内に嵌め込まれているので、識別部品５を胴部２１に対して脱落することなく安定して取り付けることができる。また、識別部品５は、容器本体２の胴部２１外周の半周以上の長さを有して胴部２１周方向に配置されるので、識別部品５が胴部２１の左右面にも配置され、容器本体２が正面向きでなく横向きに置かれていても識別部品５を視認して液体内容物の種類を識別することができる。
【００２７】
なお、嵌め込み部２４の下端部となる凹部２５下の胴部２１表面部分を一定幅で胴部周方向に全周にわたって胴部２１表面から突出させた凸部（例えば、図５中の符号２７ｂを参照）を一体に形成し、この凸部により持ち手や指が引っ掛かる滑り止め部とするようにしてもよい。この場合、液体内容物が満タンでプラスチックボトル１が重くなっていたり容器本体２や手が水で濡れて滑り易くなっていてもプラスチックボトル１を落下させることなく確実に手に持つことができる。また、手の力が弱くなってきた高齢者でもプラスチックボトル１を落下させることなく確実に手に持つことができる。
【００２８】
また、図３に示すように、識別部品５の湾曲帯状の両端部には、裏面側に凸形状の係合部５１を設け、容器本体２の嵌め込み部２４には、識別部品５の両端部の配置部分における表面に識別部品５の係合部５１と係合する凹形状の本体側係合部２６を２ヶ所に設けるようにしてもよい（なお、図３では容器本体２の一方の側面の本体側係合部２６を示すが、他方の側面にも本体側係合部２６が設けられている。）。この場合、識別部品５をより確実に胴部２１に安定して取り付けることができる。なお、容器本体２の本体側係合部２６を凸形状とし、識別部品５の係合部５１を凹形状又は孔としてもよい。
【００２９】
（実施形態２）
図４、図５を参照して、実施形態２のプラスチックボトル１Ａでは、実施形態１と異なるところとして、容器本体２の胴部２１の表面に胴部２１周方向に延びる上下二本の凸部２７ａ，２７ｂが胴部２１と一体に形成され、この二本の凸部２７ａ，２７ｂ間の領域により識別部品５の嵌め込み部２４が構成される。なお、二本の凸部２７ａ，２７ｂは、胴部２１の全周にわたって形成されるが、識別部品５を安定して取り付けできる一定範囲に形成するものでもよい。
【００３０】
この実施形態２のプラスチックボトル１Ａによれば、実施形態１と同様の作用効果が発揮され、さらに二本の凸部２７ａ，２７ｂのうちの下側の凸部２７ｂは、持ち手や指が引っ掛かる滑り止め部２８となりプラスチックボトル１を落下させることなく確実に手に持つことができる（段落００２７の説明も参照）。なお、この実施形態２でも、識別部品５及び胴部２１の嵌め込み部２４には、図３に基づいて説明した技術的意義を有する係合部５１及び本体側係合部２６を設けるようにしてもよい。
【００３１】
また、図６に示すように、識別部品５は、中央部分等の一部分を幅広に形成した拡大部５２を設けるようにし、二本の凸部２７ａ，２７ｂは、識別部品５の拡大部５２の配置範囲には形成しない拡大部配置部２７ｃを設けるようにしてもよい。この場合、拡大部５２を設けた識別部品５でも胴部２１に安定して取り付けることができる。また、拡大部５２により識別部品５の面積が広がることで識別部品５の色をより見やすくすることができる。さらに、拡大部５２の表面に、液体内容物の種類を示す文字、メーカー名やブランド名等のような各種の表示を見やすく施すこともできる。
【００３２】
なお、実施形態１における識別部品５にも、このような拡大部５２を設けるようにしてもよい。実施形態１の場合、容器本体２の胴部２１には、嵌め込み部２４を含む胴部２１表面に識別部品５の拡大部５２が嵌め込まれる凹部を形成するようにしてもよい。また、拡大部５２を識別部品５の前面に突出形成し、この拡大部５２の上下の裏面が、胴部２１側の嵌め込み部２４となる凹部２５の上下の胴部２１表面に当接するように構成してもよい。
【００３３】
（実施形態３）
図７、図８を参照して、実施形態３のプラスチックボトル１Ｂでは、容器本体２にその正面全体を覆うように有色の識別部品５Ａが着脱自在に取り付けられたものである。容器本体２の胴部２１は、縦長の直方体形状を有し、前壁部２１ａ、右壁部２１ｂ、左壁部２１ｃ、後壁部２１ｄにより周壁が形成され、また、底壁部２１ｅ、上壁部２１ｆが形成されている。この胴部２１において前壁部２１ａ及び後壁部２１ｄが最も広い面を構成している。上壁部２１ｆには、円筒状の口部２２が突出形成され、この口部２２にディスペンサー３２付きのキャップ３が螺着されている。
【００３４】
識別部品５Ａは、容器本体２の胴部２１の前壁部２１ａに配置される前板部５Ａ−１と、前板部５Ａ−１の左右端からそれぞれ後方へ延設する左右の把持部５Ａ−２と、前板部５Ａ−１の上端から上方へ延設する取手５Ａ−３とを備えている。識別部品５Ａの前板部５Ａ−１は、胴部２１の前壁部２１ａの全体を覆う大きさを有するが、前壁部２１ａの半分以上の範囲を覆う大きさであってもよい。
【００３５】
左右の把持部５Ａ−２には、孔により構成する係合部５１ａが設けられ、また、胴部２１の左右壁部２１ｂ，２１ｃには、識別部品５Ａの係合部５１ａと係合する凸形状の本体側係合部２６ａが設けられている。従って、識別部品５Ａは、左右の把持部５Ａ−２の各係合部５１ａを、容器本体２の胴部２１における左右の壁部２１ｂ，２１ｃの各本体側係合部２６ａに係合させることで容器本体２にしっかり取り付けられる。なお、容器本体２の本体側係合部２６ａを凹形状とし、識別部品５Ａの係合部５１ａを凸形状としてもよい。
【００３６】
この実施形態３のプラスチックボトル１Ｂによれば、識別部品５Ａの前板部５Ａ−１は、胴部２１の最も広い面である前壁部２１ａ全体を覆うように大きく形成されているので、識別部品５Ａの色を非常に認識し易い。従って、高齢者や近眼者等であっても、識別部品５Ａの色から瞬時に且つ容易にそのプラスチックボトル１の液体内容物の種類を識別することができる。また、容器本体２の左右の壁部２１ｂ，２１ｃには、識別部品５Ａの左右の把持部５Ａ−２が配設されているので、容器本体２が正面向きでなく横向きに置かれていても識別部品５Ａの色を視認して液体内容物の種類を識別することができる。
【００３７】
また、左右の把持部５Ａ−２の上端部には、持ち手や指が引っ掛かるように表面から突出させた舌片状の滑り止め部５３が形成されている。胴部２１における凸形状の本体側係合部２６ａの表面も凹凸が連続した形状となって滑り止め部２８ａを構成している。従って、これら滑り止め部５３，２８ａによってプラスチックボトル１を落下させることなく確実に手に持つことができる。
なお、識別部品５Ａに形成する滑り止め部５３は、凸形状のものに限らず、把持部５Ａ−２の一部又は全体を凹形状に形成した部分で構成してもよい。また、識別部品５Ａには、取手５Ａ−３が設けられているので、この取手５Ａ−３を持ってプラスチックボトル１を容易に持ち運ぶことができる。
【符号の説明】
【００３８】
１，１Ａ，１Ｂ  プラスチックボトル
２  容器本体
３  キャップ
４  ストッパー
５，５Ａ  識別部品
５Ａ−１  前板部
５Ａ−２  把持部
５Ａ−３  取手
２１  胴部
２１ａ  前壁部
２１ｂ  右壁部
２１ｃ  左壁部
２１ｄ  後壁部
２１ｅ  底壁部
２１ｆ  上壁部
２２  口部
２３  くびれ部
２４  嵌め込み部
２５  凹部
２６，２６ａ  本体側係合部
２７ａ，２７ｂ  凸部
２７ｃ  拡大部配置部
２８  滑り止め部
３１  ノズル
３２  ディスペンサー
４１  装着部
４２  フック部
５１，５１ａ  係合部
５２  拡大部
５３  滑り止め部
【図１】
2017226429.tif 000003
【図２】
2017226429.tif 000004
【図３】
2017226429.tif 000005
【図４】
2017226429.tif 000006
【図５】
2017226429.tif 000007
【図６】
2017226429.tif 000008
【図７】
2017226429.tif 000009
【図８】
2017226429.tif 000010